(57)【要約】  洗濯機（１）は、第１洗濯槽（１１０）と、第２洗濯槽（２１０）とを備える。第１洗濯槽（１１０）は、第１回転軸（１１４）を中心に回転可能に支持される。第２洗濯槽（２１０）は、第２回転軸（２１４）を中心に回転可能に支持される。第２洗濯槽（２１０）が第１洗濯槽（１１０）の上方に配置される。水平方向（Ａ）に対する第１回転軸（１１４）の第１傾斜角度（θ１）が、水平方向（Ａ）に対する第２回転軸（２１４）の第２傾斜角度（θ２）よりも大きい。
2019193832.tif 000002
【特許請求の範囲】
【請求項１】
第１回転軸を中心に回転可能に支持される第１洗濯槽と、
第２回転軸を中心に回転可能に支持される第２洗濯槽と
を備える洗濯機であって、
前記第２洗濯槽が前記第１洗濯槽の上方に配置され、
水平方向に対する前記第１回転軸の第１傾斜角度が、水平方向に対する前記第２回転軸の第２傾斜角度よりも大きい、洗濯機。
【請求項２】
前記第１傾斜角度が０°よりも大きく、
前記第２傾斜角度が０°以下である、請求項１に記載の洗濯機。
【請求項３】
前記第２洗濯槽の前後方向の寸法が、前記第１洗濯槽の前後方向の寸法よりも短い、請求項１又は請求項２に記載の洗濯機。
【請求項４】
前記第１洗濯槽及び前記第２洗濯槽を収容する筐体をさらに備え、
前記筐体は、
前記第１洗濯槽の後方に配置される第１背面部と、
前記第２洗濯槽の後方に配置される第２背面部と、
前記第２背面部の少なくとも一部に形成される凹み部と
を有し、
前記凹み部は、前記第１背面部よりも前方に凹む、請求項１から請求項３のいずれか１項に記載の洗濯機。
【請求項５】
前記凹み部に対して側方から対向するカバー部をさらに備える、請求項４に記載の洗濯機。
【請求項６】
前記筐体は、
前記第１洗濯槽を収容する第１筐体部と、
前記第２洗濯槽を収容する第２筐体部と
を有し、
前記筐体が載置される載置面に対する前記第２筐体部の投影面積が、前記載置面に対する前記第１筐体部の投影面積よりも小さい、請求項４又は請求項５に記載の洗濯機。
【請求項７】
前記第１洗濯槽から排出された排水を前記洗濯機の外部へ案内する第１排水経路部と、
前記第２洗濯槽から排出された排水を前記洗濯機の外部へ案内する第２排水経路部と
をさらに備え、
前記第１排水経路部が、前記第１洗濯槽の前部の下方に配置され、
前記第２排水経路部が、前記第１洗濯槽の後部と前記第２洗濯槽の後部との間に配置される、請求項１から請求項６のいずれか１項に記載の洗濯機。
【発明の詳細な説明】
【技術分野】
【０００１】
本発明は、洗濯機に関する。
【背景技術】
【０００２】
特許文献１に記載の洗濯機は、機体を含む。機体内には、第１洗浄内桶と、第２洗浄内桶とが設けられる。第１洗浄内桶の回転軸は、第２洗浄内桶の回転軸と平行である。第１洗浄内桶及び第２洗浄内桶の外部には、外側バレルが設けられる。機体は、ラックと、パネルとを含む。外側バレルは、ラック上に固定される。外側バレルの上部には吊るし簧が設置される。外側バレルの底部にはダンパ装置が設置される。外筒の中部には引きバネが設けられる。
【先行技術文献】
【特許文献】
【０００３】
【特許文献１】中国特許出願公開第１０３８５００８５号公報
【発明の概要】
【発明が解決しようとする課題】
【０００４】
しかし、第１洗浄内桶の回転軸と第２洗浄内桶の回転軸とが互いに平行な状態で、第１洗浄内桶と第２洗浄内桶とが上下方向に沿って並んでいる。従って、機体（筐体）の上下方向の寸法が大きくなっていた。また、洗濯機を様々な場所に設置できるようにするため、洗濯機の筐体をコンパクトにしたいとする要望があった。【０００５】
本発明は、筐体をコンパクトにすることができる洗濯機を提供することを目的としている。
【課題を解決するための手段】
【０００６】
本発明の第１の局面によれば、洗濯機は、第１洗濯槽と、第２洗濯槽とを備える。第１洗濯槽は、第１回転軸を中心に回転可能に支持される。第２洗濯槽は、第２回転軸を中心に回転可能に支持される。前記第２洗濯槽が前記第１洗濯槽の上方に配置される。水平方向に対する前記第１回転軸の第１傾斜角度が、水平方向に対する前記第２回転軸の第２傾斜角度よりも大きい。
【発明の効果】
【０００７】
本発明によれば、複数の洗濯槽を備えた洗濯機の筐体をコンパクトにすることができる。
【図面の簡単な説明】
【０００８】
【図１】第１実施形態の洗濯機の正面図である。
【図２】第１実施形態の洗濯機の側面図である。
【図３】洗濯機の断面図である。
【図４】洗濯機の模式図である。
【図５】第２実施形態の洗濯機の側面図である。
【図６】洗濯機の模式図である。
【図７】第３実施形態の洗濯機の側面図である。
【発明を実施するための形態】
【０００９】
本発明の実施形態について、図面を参照しながら説明する。なお、図中、同一又は相当部分については同一の参照符号を付して説明を繰り返さない。
【００１０】
［第１実施形態］
図１及び図２を参照して、本発明の第１実施形態に係る洗濯機１について説明する。図１は、第１実施形態の洗濯機１の正面図である。図２は、第１実施形態の洗濯機１の側面図である。図１及び図２において、上下方向は、鉛直面に平行な方向である。左右方向、及び前後方向の各々は、水平面対して平行な方向である。また、左右方向は、前後方向に対して垂直な方向である。洗濯機１は、図１及び図２に示すような姿勢に設置された状態で洗濯物を洗濯する。
【００１１】
図１及び図２に示すように、洗濯機１は、筐体１０と、第１扉２０と、第２扉３０とを備える。
【００１２】
筐体１０は、中空の形状を有する。筐体１０は、前面部１１と、一対の側面部１２と、背面部１３と、天井部１４と、底部１５とを有する。前面部１１、一対の側面部１２、背面部１３、天井部１４、及び底部１５の各々は、板形状を有する。前面部１１、一対の側面部１２、背面部１３、天井部１４、及び底部１５の各々は、筐体１０の外面を形成する。
【００１３】
前面部１１は、筐体１０のうち、筐体１０の前部に位置する部分を示す。一対の側面部１２は、筐体１０のうち、筐体１０の側部に位置する部分を示す。一対の側面部１２は、左右方向に互いに間隔を空けて配置される。背面部１３は、筐体１０のうち、筐体１０の後部に位置する部分を示す。天井部１４は、筐体１０のうち、筐体１０の上部に位置する部分を示す。底部１５は、筐体１０のうち、筐体１０の下部に位置する部分を示す。
【００１４】
第１扉２０、及び第２扉３０は、筐体１０の前部に設けられる。第１扉２０、及び第２扉３０は、前面部１１に回転可能に取り付けられる。第１扉２０、及び第２扉３０は、筐体１０の内部と筐体１０の外部とを仕切る。筐体１０の内部は、前面部１１と、一対の側面部１２と、背面部１３とで囲まれた空間を示す。
【００１５】
第１扉２０、及び第２扉３０は、上下方向に沿って並ぶように配置される。第２扉３０は、第１扉２０の上方に配置される。
【００１６】
洗濯機１は、給水口４０をさらに備える。給水口４０は、筐体１０の上部に設けられる。給水口４０は、水栓に接続される。水栓から放出された水は、給水口４０を介して洗濯機１に供給される。
【００１７】
次に、図３を参照して、洗濯機１についてさらに説明する。図３は、洗濯機１の断面図である。
【００１８】
図３に示すように、洗濯機１は、第１洗濯部１００と、第２洗濯部２００とを備える。第１洗濯部１００、及び第２洗濯部２００の各々は、互いに独立して洗濯物を洗濯することができる。第２洗濯部２００は、第１洗濯部１００の上方に配置される。
【００１９】
まず、第１洗濯部１００について説明する。
【００２０】
図３に示すように、第１洗濯部１００は、第１洗濯槽１１０と、第１水槽１２０とを有する。第１洗濯槽１１０及び第１水槽１２０の各々は、筐体１０の内部に配置される。第１洗濯槽１１０は、第１水槽１２０の内側に配置される。
【００２１】
第１洗濯槽１１０は、第１側部１１１と、第１底部１１２と、第１開口部１１３とを有する。第１側部１１１は、前後の両端部が開放された筒形状を有する。第１底部１１２は、第１側部１１１の後端部に設けられる。第１底部１１２は、第１側部１１１の後端部を閉塞する。第１開口部１１３は、第１側部１１１の前端部に形成される。第１開口部１１３は、第１洗濯槽１１０の内部と、第１洗濯槽１１０の外部とを連通する。第１開口部１１３は、第１扉２０と対向する。なお、第１洗濯槽１１０の内部は、第１側部１１１と第１底部１１２とで囲まれた空間を示す。
【００２２】
第１洗濯槽１１０は、第１回転軸１１４をさらに有する。第１洗濯槽１１０は、第１回転軸１１４を中心に回転可能に支持される。第１回転軸１１４は、第１底部１１２の中心と、第１開口部１１３の中心とを通る軸を示す。
【００２３】
第１扉２０が開かれると、第１開口部１１３が筐体１０の外部と対向する。その結果、ユーザーは、第１開口部１１３を介して第１洗濯槽１１０に対して洗濯物を出し入れすることができる。
【００２４】
洗濯機１は、第１駆動部１３０をさらに備える。第１駆動部１３０は、第１モータ１３１と、第１出力軸１３２とを含む。第１出力軸１３２は、第１洗濯槽１１０に接続される。第１出力軸１３２は、第１回転軸１１４の軸回りに第１洗濯槽１１０を回転可能に支持する。第１モータ１３１は、第１出力軸１３２を介して第１洗濯槽１１０に動力を伝達する。その結果、第１洗濯槽１１０が第１回転軸１１４を中心に回転する。
【００２５】
第１洗濯槽１１０の内部に、洗濯物、水、及び洗剤が供給された状態で、第１駆動部１３０の動力により第１洗濯槽１１０が回転すると、洗濯物が洗濯される。
【００２６】
洗濯機１は、第１排水経路部１４０をさらに備える。第１排水経路部１４０は、第１洗濯槽１１０の内部から排出された排水を洗濯機１の外部へ案内するための部材である。洗濯機１の外部は、具体的には、筐体１０の外部を示す。
【００２７】
第１排水経路部１４０は、例えば、第１排水管と、第１排水管に設けられる第１排水フィルタと、第１排水弁とを含む。第１排水管は、第１洗濯槽１１０の内部に連通すると共に、洗濯機１の外部にも連通する。
【００２８】
第１排水経路部１４０は、第１洗濯槽１１０の前部の下方に配置される。
【００２９】
次に、第２洗濯部２００について説明する。
【００３０】
図３に示すように、第２洗濯部２００は、第２洗濯槽２１０と、第２水槽２２０とを有する。第２洗濯槽２１０及び第２水槽２２０の各々は、筐体１０の内部に配置される。第２洗濯槽２１０は、第２水槽２２０の内側に配置される。
【００３１】
第２洗濯槽２１０は、第２側部２１１と、第２底部２１２と、第２開口部２１３とを有する。第２側部２１１は、前後の両端部が開放された筒形状を有する。第２底部２１２は、第２側部２１１の後端部に設けられる。第２底部２１２は、第２側部２１１の後端部を閉塞する。第２開口部２１３は、第２側部２１１の前端部に形成される。第２開口部２１３は、第２洗濯槽２１０の内部と、第２洗濯槽２１０の外部とを連通する。第２開口部２１３は、第２扉３０と対向する。なお、第２洗濯槽２１０の内部は、第２側部２１１と第２底部２１２とで囲まれた空間を示す。
【００３２】
第２洗濯槽２１０は、第１洗濯槽１１０の上方に配置される。
【００３３】
第２洗濯槽２１０は、第２回転軸２１４をさらに有する。第２洗濯槽２１０は、第２回転軸２１４を中心に回転可能に支持される。第２回転軸２１４は、第２底部２１２の中心と、第２開口部２１３の中心とを通る軸を示す。
【００３４】
第２扉３０が開かれると、第２開口部２１３が筐体１０の外部と対向する。その結果、ユーザーは、第２開口部２１３を介して第２洗濯槽２１０に対して洗濯物を出し入れすることができる。
【００３５】
洗濯機１は、第２駆動部２３０をさらに備える。第２駆動部２３０は、第２モータ２３１と、第２出力軸２３２とを含む。第２出力軸２３２は、第２洗濯槽２１０に接続される。第２出力軸２３２は、第２回転軸２１４の軸回りに第２洗濯槽２１０を回転可能に支持する。第２モータ２３１は、第２出力軸２３２を介して第２洗濯槽２１０に動力を伝達する。その結果、第２洗濯槽２１０が第２回転軸２１４を中心に回転する。
【００３６】
洗濯機１は、第２排水経路部２４０をさらに備える。第２排水経路部２４０は、第２洗濯槽２１０の内部から排出された排水を洗濯機１の外部へ案内するための部材である。
【００３７】
第２排水経路部２４０は、例えば、第２排水管と、第２排水管に設けられる第２排水フィルタと、第２排水弁とを含む。第２排水管は、第２洗濯槽２１０の内部に連通すると共に、洗濯機１の外部にも連通する。
【００３８】
第２排水経路部２４０は、第１洗濯槽１１０の後部１１５と、第２洗濯槽２１０の後部２１５との間に配置される（図４参照）。
【００３９】
なお、第１洗濯部１００、及び第２洗濯部２００の各々は、洗濯物を洗い運転、すすぎ運転、脱水運転、及び乾燥運転を行うことが可能である。
【００４０】
次に、図４を参照して、第１洗濯槽１１０、及び第２洗濯槽２１０について説明する。図４は、洗濯機１の模式図である。
【００４１】
図４は、第１傾斜角度θ１と、第２傾斜角度θ２とを示す。第１傾斜角度θ１は、水平方向Ａに対する第１回転軸１１４の傾斜角度を示す。第２傾斜角度θ２は、水平方向Ａに対する第２回転軸２１４の傾斜角度を示す。水平方向Ａは、水平面に平行であり、前方に向かう方向を示す。
【００４２】
なお、図４において、水平方向Ａを示す矢印の先端が基端を中心に時計回りに回転する方向を正の方向（図４において「＋」）とする。また、図４において、水平方向Ａを示す矢印の先端が基端を中心に反時計回りに回転する方向を負の方向（図４において「−」）とする。
【００４３】
第１回転軸１１４、及び第２回転軸２１４の各々が水平方向Ａに対して正の方向に傾斜している場合、第１傾斜角度θ１、及び第２傾斜角度θ２の各々は、角度０°よりも大きくなる。
【００４４】
これに対し、第１回転軸１１４、及び第２回転軸２１４の各々が水平方向Ａに対して負の方向に傾斜している場合、第１傾斜角度θ１、及び第２傾斜角度θ２の各々は、角度０°よりも小さくなる。
【００４５】
図４に示すように、第１傾斜角度θ１が、第２傾斜角度θ２よりも大きい（第１傾斜角度θ１＞第２傾斜角度θ２）。従って、第２洗濯槽２１０の後部２１５を、第１洗濯槽１１０の後部１１５から離間させて配置することが可能になる。その結果、第１洗濯槽１１０の後部１１５と前記第２洗濯槽２１０の後部２１５との間に第２排水経路部２４０を配置するための第２空間Ｂ２を確保することが可能になる。
【００４６】
また、第１実施形態では、第２空間Ｂ２を確保するために、第１洗濯槽１１０から第２洗濯槽２１０全体を離間させずに、第１洗濯槽１１０から第２洗濯槽２１０の後部２１５のみを離間させる。言い換えれば、第１実施形態では、第２空間Ｂ２を確保するために、第１回転軸１１４と第２回転軸２１４とが互いに平行な状態から、第１回転軸１１４に対して第２回転軸２１４を上方に平行移動せずに、第１回転軸１１４に対する第２回転軸２１４の傾斜角度を変更する。従って、第２回転軸２１４を上方に平行移動する場合に比べて、筐体１０の上下方向の寸法Ｈが増加することを抑制できる。その結果、洗濯機１の筐体１０をコンパクトにすることが可能になる。
【００４７】
続いて、図４を参照して、第１洗濯槽１１０について説明する。
【００４８】
図４に示すように、第１傾斜角度θ１は、角度０°よりも大きい（第１傾斜角度θ１＞角度０°）。第１実施形態では、第１傾斜角度θ１は、例えば、角度略８°である。従って、第１洗濯槽１１０の第１開口部１１３が水平方向Ａよりも上向きに配置される。その結果、ユーザーが、第１洗濯槽１１０に対して洗濯物を出し入れする第１作業を容易に行うことができる。理由は、ユーザーは、通常、第１洗濯槽１１０を見下ろすようにして第１作業を行うからである。
【００４９】
また、第１傾斜角度θ１は、角度０°よりも大きいので、筐体１０の底部１５から第１洗濯槽１１０の前部１１６を離間させて配置することが可能になる。その結果、第１洗濯槽１１０の前部１１６と底部１５との間に第１排水経路部１４０を配置するための第１空間Ｂ１を確保することが可能になる。
【００５０】
続いて、図４を参照して、第２洗濯槽２１０について説明する。
【００５１】
図４に示すように、第２傾斜角度θ２は、角度０°以下である（第２傾斜角度θ２≦角度０°）。第１実施形態では、第２傾斜角度θ２は、角度略０°である（第２傾斜角度θ２≒角度０°）。従って、第１実施形態では、第２洗濯槽２１０の第２開口部２１３が略水平方向Ａを向くように配置される。その結果、ユーザーが、第２洗濯槽２１０に対して洗濯物を出し入れする第２作業を容易に行うことができる。理由は、ユーザーは、通常、第２洗濯槽２１０と略同じ高さの目線で第２作業を行うからである。
【００５２】
また、第２傾斜角度θ２が角度略０°の場合、第２洗濯槽２１０が略水平に設置される。第２洗濯槽２１０が略水平に設置されると、第２洗濯槽２１０の振動を容易にコントロールすることができる。従って、洗濯機１の稼働時に、第２洗濯槽２１０の振動により洗濯機１の上部がぐらつくことを抑制できる。その結果、洗濯機１の稼働時に、洗濯機１の姿勢をより安定させることが可能になる。
【００５３】
なお、第２傾斜角度θ２が角度０°よりも小さい場合（第２傾斜角度θ２＜角度０°）、第２洗濯槽２１０の第２開口部２１３が水平方向Ａよりも下向きに配置される。この場合、第２傾斜角度θ２は、例えば、角度−２°で、第２洗濯槽２１０の第２側部２１１が水平方向Ａよりも下向きに傾斜する。従って、第２洗濯槽２１０が洗濯物を洗濯する際、第２洗濯槽２１０内の洗濯物が洗濯物の自重で前方へ移動して第２扉３０に接触する。その結果、第２洗濯槽２１０は、洗濯物を第２扉３０に接触させつつ、第２洗濯槽２１０と共に回転させることができるので、洗濯物の汚れを効果的に落とすことが可能になる。
【００５４】
なお、第２傾斜角度θ２が角度０°よりも小さい場合、第２扉３０の内面３１に凹凸を形成してもよい。その結果、洗濯物を第２扉３０の凹凸に接触させつつ回転させることができるので、いわゆる洗濯板効果により洗濯物の汚れをより効果的に落とすことが可能になる。
【００５５】
なお、第１実施形態では、第１洗濯槽１１０の第１傾斜角度θ１は角度０°よりも大きいが、本発明はこれに限定されない。第１洗濯槽１１０の第１傾斜角度θ１は角度０°でもよい。その結果、第１洗濯槽１１０の振動を容易にコントロールすることができ、第１洗濯槽１１０の振動を抑制することが可能になる。この場合、第２洗濯槽２１０の第２傾斜角度θ２は、角度０°よりも小さい。この場合、第２洗濯槽２１０の第２傾斜角度θ２は、例えば、角度−２°に設定される。
【００５６】
［第２実施形態］
図５及び図６を参照して、本発明の第２実施形態に係る洗濯機１について説明する。図５は、第２実施形態の洗濯機１の側面図である。図６は、洗濯機１の模式図である。
【００５７】
第１実施形態では、背面部１３は略フラットな形状に形成される。これに対し、第２実施形態では、背面部１３が凹凸を有する形状に形成される点で第１実施形態と異なる。以下では、主に第１実施形態と異なる点を説明する。
【００５８】
図５及び図６に示すように、筐体１０は、第１筐体部１０ａと、第２筐体部１０ｂとを有する。第１筐体部１０ａは、筐体１０の下側部分を示す。第１筐体部１０ａは、第１洗濯槽１１０を収容する。第２筐体部１０ｂは、筐体１０の上側部分を示す。第２筐体部１０ｂは、第２洗濯槽２１０を収容する。
【００５９】
背面部１３は、第１洗濯槽１１０及び第２洗濯槽２１０を後方から覆う。背面部１３の上側部分は、背面部１３の下側部分よりも前方へ凹んでいる。
【００６０】
背面部１３は、第１背面部１３ａと、第２背面部１３ｂとを有する。
【００６１】
第１背面部１３ａは、背面部１３の下側部分である。第１背面部１３ａは、第１洗濯槽１１０の後方に配置される。
【００６２】
第２背面部１３ｂは、背面部１３の上側部分である。第２背面部１３ｂは、第２洗濯槽２１０の後方に配置される。第２背面部１３ｂは、第１背面部１３ａよりも前方に位置する。
【００６３】
背面部１３は、凹み部１３ｃをさらに有する。凹み部１３ｃは、第２背面部１３ｂのうち少なくとも一部に形成される。凹み部１３ｃは、第１背面部１３ａよりも前方に凹む。第２実施形態では、凹み部１３ｃは、第２背面部１３ｂの全部に形成される。従って、第２実施形態では、第２背面部１３ｂの全部が、第１背面部１３ａよりも前方に位置する。
【００６４】
背面部１３に凹み部１３ｃが形成されると、第２筐体部１０ｂの容積が第１筐体部１０ａの容積よりも少なくなる。従って、載置面Ｄに対する第２筐体部１０ｂの投影面積が、載置面Ｄに対する第１筐体部１０ａの投影面積よりも小さくなる。その結果、洗濯機１の下側部分のサイズに比べて上側部分のサイズが小さくなるので、洗濯機１を安定して設置することができる。さらに、洗濯機１の振動に起因して洗濯機１の姿勢が不安定になることを抑制できる。なお、載置面Ｄは、洗濯機１が載置されている面を示す。
【００６５】
背面部１３は、凹み空間Ｃをさらに有する。凹み空間Ｃは、第２背面部１３ｂの後部に位置する空間のうち、第１背面部１３ａよりも前方に位置する部分を示す。凹み空間Ｃは、凹み部１３ｃの後部に位置する。第２背面部１３ｂに対して凹み部１３ｃが形成されることで、凹み空間Ｃが生成される。
【００６６】
凹み空間Ｃには、水栓が配置可能である。水栓は、壁面に設置され、洗濯機１に水を供給する。従って、凹み空間Ｃに水栓を配置することで、水栓が第２背面部１３ｂに接触することを回避しつつ、第１背面部１３ａを壁面に近接させて配置することが可能になる。その結果、洗濯機１を壁面に近接させて配置することが可能になるので、洗濯機１の設置スペースの増加を抑制することが可能になる。
【００６７】
なお、第２実施形態では、凹み部１３ｃは、第２背面部１３ｂの全部に形成される。しかし、凹み部１３ｃは、第２背面部１３ｂの一部に形成されてもよい。例えば、第２背面部１３ｂのうち、水栓と対向する部分にのみ凹み部１３ｃを形成してもよい。
【００６８】
次に、図６を参照して、凹み空間Ｃを形成するための原理について説明する。
【００６９】
図６に示すように、第２洗濯槽２１０の前後方向の寸法β１は、第１洗濯槽１１０の前後方向の寸法α１よりも短い（寸法β１＜寸法α１）。従って、第２洗濯槽２１０の後部２１５が、第１洗濯槽１１０の後部１１５よりも前方に配置される。その結果、第２背面部１３ｂを第１背面部１３ａよりも前方に配置して、凹み空間Ｃを形成することが可能になる。
【００７０】
第１実施形態では、第２洗濯槽２１０の寸法β２は、第１洗濯槽１１０の寸法α２よりも小さい（寸法β２＜寸法α２）。従って、第２洗濯槽２１０が第１洗濯槽１１０よりも小型である。その結果、より確実に凹み空間Ｃを形成することが可能になる。なお、第１洗濯槽１１０の寸法α２は、詳細には、第１回転軸１１４に沿った第１洗濯槽１１０の寸法を示す。第２洗濯槽２１０の寸法β２は、詳細には、第２回転軸２１４に沿った第２洗濯槽２１０の寸法を示す。
【００７１】
なお、第２洗濯槽２１０の寸法β２は、第１洗濯槽１１０の寸法α２と同じでもよい（寸法β２＝寸法α２）。つまり、第２洗濯槽２１０のサイズが、第１洗濯槽１１０のサイズと同じでもよい。この場合でも、第１傾斜角度θ１が第２傾斜角度θ２よりも大きいので（第１傾斜角度θ１＞第２傾斜角度θ２）、第２洗濯槽２１０の寸法β１を、第１洗濯槽１１０の寸法α１よりも小さくすることが可能である（寸法β１＜寸法α１）。
【００７２】
［第３実施形態］
図７を参照して、本発明の第３実施形態に係る洗濯機１について説明する。図７は、第３実施形態の洗濯機１の側面図である。
【００７３】
第３実施形態は、洗濯機１の側面の凹凸を抑制している点で第２実施形態と異なる。以下では、主に第２実施形態と異なる点を説明する。
【００７４】
図７に示すように、洗濯機１は、一対のカバー部５０をさらに備える。
【００７５】
一対のカバー部５０の各々は、平板状の部材である。一対のカバー部５０は、それぞれ、一対の側面部１２に固定される。なお、カバー部５０は側面部１２の部材の一部として一つの部品にて形成しても良い。
【００７６】
一対のカバー部５０は、左右方向に間隔を空けて互いに対向する。以下では、一対のカバー部５０のうちの１つに着目して説明する。
【００７７】
カバー部５０は、凹み部１３ｃに対して側方から対向する。カバー部５０は、凹み空間Ｃを側方から覆う。カバー部５０の後部５１は、第１背面部１３ａに沿って、上下方向に延びる。従って、洗濯機１を側方から見て、凹み部１３ｃにより生じた背面部１３の凹凸を、カバー部５０により隠すことが可能である。その結果、洗濯機１を側方から見たときの洗濯機１の美観を向上させることが可能になる。
【００７８】
以上、図面（図１〜図７）を参照しながら本発明の実施形態について説明した。但し、本発明は、上記の実施形態に限られるものではなく、その要旨を逸脱しない範囲で種々の態様において第４実施形態として実施することが可能である（例えば、（１））。また、上記の実施形態に開示されている複数の構成要素を適宜組み合わせることによって、種々の発明の形成が可能である。例えば、実施形態に示される全構成要素から幾つかの構成要素を削除してもよい。図面は、理解しやすくするために、それぞれの構成要素を主体に模式的に示しており、図示された各構成要素の個数等は、図面作成の都合から実際とは異なる場合もある。また、上記の実施形態で示す各構成要素は一例であって、特に限定されるものではなく、本発明の効果から実質的に逸脱しない範囲で種々の変更が可能である。
【００７９】
（１）第１回転軸１１４と第２回転軸２１４との各々が、前後方向に沿って延びるように水平に配置され、第２洗濯槽２１０の前後方向の寸法β１が第１洗濯槽１１０の前後方向の寸法α１よりも短くてもよい（寸法β１＜寸法α１）（図６参照）。その結果、第２洗濯槽２１０の後部２１５を、第１洗濯槽１１０の後部１１５よりも前方に配置して、凹み空間Ｃを形成することが可能になる。
【産業上の利用可能性】
【００８０】
本発明は、洗濯機の分野に利用可能である。
【符号の説明】
【００８１】
１      洗濯機
１０ａ  第１筐体部
１０ｂ  第２筐体部
１３    背面部
１３ａ  第１背面部
１３ｂ  第２背面部
１３ｃ  凹み部
５０    カバー部
１１０  第１洗濯槽
１１４  第１回転軸
１４０  第１排水経路部
２１０  第２洗濯槽
２１４  第２回転軸
２４０  第２排水経路部
Ａ      水平方向
Ｄ      載置面
θ１    第１傾斜角度
θ２    第２傾斜角度
【図１】
2019193832.tif 000003
【図２】
2019193832.tif 000004
【図３】
2019193832.tif 000005
【図４】
2019193832.tif 000006
【図５】
2019193832.tif 000007
【図６】
2019193832.tif 000008
【図７】
2019193832.tif 000009
【国際調査報告】
2019193832.tif 000010
2019193832.tif 000011
2019193832.tif 000012
2019193832.tif 000013